(57)【要約】 【課題】  電源及び負荷に接続される接続端子を具備する端子ブロックに配設された複数のインタフェイス部を確実に封印できる電力量計を得る。【解決手段】  電源及び負荷に接続される接続端子２が配設された端子ブロック３を被装する端子カバー８と、端子ブロック３の一方の面３ａに配設されたインタフェイス部である設定操作部６を夫々被装する第１の保護カバー９と、端子ブロック３の他方の面３ｂに配設されたインタフェイス部であるコネクタ７を被装する第２の保護カバー１０とを封印ねじ１１で一体的に固着させるように形成させた。【選択図】        図２
2007010613.tif 000002
【特許請求の範囲】
【請求項１】
電源及び負荷に接続される接続端子が配設された端子ブロックと、
前記接続端子から入力された信号に基づいて電力量を演算処理する演算処理部と、
前記端子ブロックの一方の面およびこの一方の面に対して略垂直面に形成された他方の面に配設された複数のインタフェイス部と、
前記接続端子を被装する端子カバーと、
前記端子ブロックの一方の面に配設されたインタフェイス部を被装する第１の保護カバーと、
前記端子ブロックの他方の面に配設されたインタフェイス部を被装する第２の保護カバーと、
前記端子カバーと前記第１の保護カバーと第２の保護カバーとを一体的に固着する封印ねじとを備えたことを特徴とする電力量計。
【請求項２】
第２の保護カバーに、インタフェイス部の開口部を閉塞する閉塞部を配設したことを特徴とする請求項１記載の電力量計。
【請求項３】
第２の保護カバーは、封印ねじを弛めた状態でスライド可能に形成されることを特徴とする請求項１または請求項２記載の電力量計。
【請求項４】
電源及び負荷に接続される接続端子が配設された端子ブロックと、
前記接続端子から入力された信号に基づいて電力量を演算処理する演算処理部と、
前記端子ブロックの一方の面およびこの一方の面に対して略垂直面に形成された他方の面に配設された複数のインタフェイス部と、
前記接続端子を被装する端子カバーと、
前記端子ブロックの一方の面に配設されたインタフェイス部と前記端子ブロックの他方の面に配設されたインタフェイス部を同時に被装する略Ｌ字状に形成された兼用保護カバーと、
前記端子カバーと前記兼用保護カバーとを一体的に固着する封印ねじとを備えたことを特徴とする電力量計。
【請求項５】
兼用保護カバーに、インタフェイス部の開口部を閉塞する閉塞部を配設したことを特徴とする請求項４記載の電力量計。
【請求項６】
閉塞部に、インタフェイス部の内部に向って嵌挿される凸部を配設したことを特徴とする請求項５記載の電力量計。
【請求項７】
複数のインタフェイス部は、演算処理部を外部操作する設定操作部または前記演算処理部と通信を行うコネクタであることを特徴とする請求項１または請求項４記載の電力量計。
【発明の詳細な説明】
【技術分野】
【０００１】
本発明は使用電力量を積算して表示させる電力量計に係わり、特に、内部に収納された使用電力量を処理する処理部に対して外部から通信するインタフェイス部を備えたものに関する。
【背景技術】
【０００２】
従来の電力量計は、電源及び負荷に接続される接続端子、この接続端子から入力された信号に基づいて使用電力量を処理する処理部、この処理部の設定を行う設定操作部及び接続端子などが配設された端子ブロック、及びこの端子ブロックに封印ねじで固定された端子カバーで構成され、封印部材によって封印ねじを封印することにより、封印を解除しない限りは封印ねじを緩めることができないように構成させている。
【０００３】
また、端子カバーに開口部を配設し、この開口部を介して設定操作部を外部から操作可能に形成させ、開口部を開閉蓋にて閉塞させると共に封印ねじで端子カバーと共に開閉蓋が締付けられるように構成させている。（例えば、特許文献１  図１０参照）
さらにまた、端子ブロックには処理部の設定を行う設定操作部以外に、処理部に外部から通信して処理部で処理した処理データを出力させるインタフェイス部が配設されることがあり、このインタフェイス部は取り付けスペースの関係上、端子ブロックの設定操作部が配設された面以外に配設されるため、例えば、インタフェイス部の開口部を封印テープなどを貼り付けて塞ぐように形成させている。
【０００４】
【特許文献１】特開２００２−２６７６８９号公報
【発明の開示】
【発明が解決しようとする課題】
【０００５】
従来の電力量計は以上のように構成されており、インタフェイス部を封印テープなどにより表面を覆うように形成させているので、長期間使用された場合、封印テープが剥がれることがある。
また、封印テープは一般の不特定多数の誰でもが簡単に剥がすことが可能であることから、封印に対する信頼性が低いという課題があった。
【０００６】
この発明は、上述のような課題を解決するためになされたもので、電力量計において、設定操作部およびインタフェイス部の封印に対する信頼性が高い封印構造を提供することを目的としている。
【課題を解決するための手段】
【０００７】
この発明に係る電力量計は、電源及び負荷に接続される接続端子が配設された端子ブロックと、接続端子から入力された信号に基づいて電力量を演算処理する演算処理部と、端子ブロックの一方の面およびこの一方の面に対して略垂直面に形成された他方の面に配設された複数のインタフェイス部と、接続端子を被装する端子カバーと、端子ブロックの一方の面に配設されたインタフェイス部を被装する第１の保護カバーと、端子ブロックの他方の面に配設されたインタフェイス部を被装する第２の保護カバーと、端子カバーと前記第１の保護カバーと第２の保護カバーとを一体的に固着する封印ねじとを備えたものである。
【発明の効果】
【０００８】
この発明の電力量計は以上のように、端子カバーと第１の保護カバーと第２の保護カバーとを封印ねじで一体的に固着させているので、複数のインタフェイス部が保護カバーにより被装された状態で確実に固定されるので、信頼性が高い封印構造を得ることができる。
【発明を実施するための最良の形態】
【０００９】
実施の形態１．
図１は、この発明の実施の形態１における電力量計１００の構成を示す外観斜視図、図２は図１の分解斜視図、図３は図１の操作途中における外観斜視図である。
図において、電力量計１００は、例えば、鉄板を成形して成るカバー１ａ及びベース１ｂで形成された筐体１、電源及び負荷に接続される接続端子２が配設された例えば、熱硬化樹脂成型品で形成された端子ブロック３、図示しない電線路から接続端子２を介して入力された計測データを処理する演算処理部４、この演算処理部４の処理データを表示する、例えば、液晶などの表示素子を用いた表示部５、端子ブロック３の一方の面３ａに配設され演算処理部４を外部から操作するインタフェイス部である設定操作部６、一方の面３ａに対して略垂直面に形成された他方の面３ｂに配設されて演算処理部４と通信を行うインタフェイス部であるコネクタ７、接続端子２を被装する端子カバー８、一方の面３ａに配設された設定操作部６を被装する第１の保護カバー９、他方の面３ｂに配設されコネクタ７を被装する略Ｌ字状に形成された第２の保護カバー１０、端子カバー８と第１の保護カバー９と第２の保護カバー１０とを重畳させた状態で固定する封印ねじ１１により構成されている。
【００１０】
端子カバー８には、装着時に設定操作部６を露出させるための開口孔８ａ、封印ねじ１１が嵌挿されるねじ孔８ｂ、及び後述の封印ワイヤ１２が嵌挿される封印ワイヤ孔８ｃが配設され、第１の保護カバー９には封印ねじ１１が嵌挿されるねじ孔９ａが配設され、第２の保護カバー１０には、封印ねじ１１が嵌挿される楕円状に形成された長孔１０ａ、封印ワイヤ孔８ｃの干渉を防止するための角孔１０ｂが配設されており、長孔１０ａ、ねじ孔９ａ、ねじ孔８ｂに封印ねじ１１を嵌挿させた後、端子ブロック３に配設された図示しない雌ねじに雄ねじである封印ねじ１１を締付けることにより、端子カバー８と第１の保護カバー９、及び第２の保護カバー１０は電力量計１００に一体的に固定される。
【００１１】
次に、封印ワイヤ孔８ｃと封印ねじ１１の貫通孔１１ａとを封印ワイヤ１２で連通させ、封印ワイヤ１２の端部に封印鉛１３を取り付けることで、封印ワイヤ１２を切断しない限り封印ねじ１１を弛めることができない封印構造としている。
なお、第２の保護カバー１０には、第２の保護カバー１０が装着された時にコネクタ７の開口部を閉塞しコネクタ７内への異物などの侵入を防止するために段付状に形成された閉塞部１０ｃ（図２に示す）を備えている。
【００１２】
次に、以上のように形成された電力量計１００の動作について説明する。
電力量計１００は、通常時においては、接続端子２に接続された図示しない電線路から入力された電圧、電流信号を演算処理部４で処理し、処理した電力量などの結果を演算処理部４内の図示しない記憶手段に記憶させると共に表示部５で表示する。
ここで、例えば、演算処理部４が処理を実行するためのソフトウェアーの変更が生じた場合、または演算処理部４で処理した処理データを外部に取り出す必要性が生じた場合などにおいては、電力会社から委託された特定の業者が封印ワイヤ１２を切断し封印を解除した後、封印ねじ１１を緩め、第２の保護カバー１０を矢印Ａにスライドさせる（図３に示す）ことによりコネクタ７を露出させ、コネクタ７に図示しない相手側コネクタを接続し、通信により演算処理部４のソフトウェアーの変更するか、または、演算処理部４の記憶手段に記憶された電力量などの処理データの外部への取り出しを行う。
【００１３】
また、表示部５で表示させる表示内容の切換、電力量の検針に係わる設定変更などにより設定操作部６の操作が必要になった場合には、第１の保護カバー９を矢印Ｂ方向に回動させ、設定操作部６を露出させて、設定操作部６を操作して表示部５の表示内容の切換、電力量の検針に係わる設定変更などを実施する。
なお、上記の動作は封印ねじ１１を完全に取り外した状態で実施しても良いが、封印ねじ１１を僅かに弛めることで第２の保護カバー１０を矢印Ａにスライドさせることができるので、端子カバー８、第１の保護カバー９、第２の保護カバー１０、封印ねじ１１の紛失を防ぐことができる。
【００１４】
以上のように構成されたこの発明の実施の形態１における電力量計１００においては、端子カバー８と第１の保護カバーと第２の保護カバーとを封印ねじ１１で一体的に固着されており、複数のインタフェイス部が第１の保護カバー９または第２の保護カバー１０により被装された状態で確実に固定されているので、封印シール等のように一般の不特定多数の人により簡単に剥がされることがなく、封印に対する信頼性が高い封印構造を得ることができ、設定操作部６の操作またはコネクタ７への相手側コネクタの接続が容易である。
さらにまた、コネクタ７の開口部を段付状に形成させた閉塞部１０で閉塞させたので、コネクタ７内へ異物などの侵入がないという効果がある。
なお、上記の実施例では、複数のインタフェイスとして設定操作部、通信用のコネクタを述べたが、電力量計内に収納された演算処理部以外の機能部品に対して通信を行うインタフェイスでも良い。
【００１５】
実施の形態２．
図４は、この発明の実施の形態２における電力量計１０１の構成を示す分解斜視図である。
図において、第２の保護カバー１０に切欠き部１０ｂ、端子カバー８に第２の保護カバー１０の閉塞部１０ｃが嵌挿される逃し孔８ｃを備える以外は上述した実施の形態１と構成は同様であり、電力量などの計測、表示についても実施の形態１と同様であり説明を省略する。
【００１６】
以上のように構成されたこの発明の実施の形態２における電力量計１０１は、演算処理部４が処理を実行するためのソフトウェアーの変更が生じた場合、または演算処理部４で処理した処理データを外部に取り出す必要性が生じた場合などにおいては、封印ねじ１１を僅かに弛め、第２の保護カバー１０の閉塞部１０ｃを逃し孔８ｃ内で矢印Ｃ方向にスライドさせることが可能であり、第２の保護カバー１０の閉塞部１０ｃを段付構造にするなどの複雑な形状にすることなく、Ｌ字形状に形成させるだけで、第２の保護カバー１０が装着された時にコネクタ７の開口部を閉塞しコネクタ７内への異物などの侵入を防止することができるという効果がある。
【００１７】
実施の形態３．
図５は、この発明の実施の形態３における電力量計１０２の構成を示す外観斜視図、図６は図５の分解斜視図、図７は兼用保護カバーの他の実施例である。
図において、電力量計１０２は、一方の面３ａに配設された設定操作部６を被装すると共に、他方の面３ｂに配設されコネクタ７を同時に被装する兼用保護カバー１４を具備している。
兼用保護カバー１４には一方の面３ａ側にねじ孔１４ａが配設されると共に、コネクタ７の開口部を閉塞しコネクタ７内への異物などの侵入を防止する段付状に形成された閉塞部１４ｂを備えている。
上記以外の構成およびについては、電力量などの計測、表示については、上述した実施の形態１と同様であり、説明を省略する。
【００１８】
以上のように構成されたこの発明の実施の形態２における電力量計１０２は、表示部５の表示内容の切換、電力量の検針に係わる設定変更などにより設定操作部６の操作が必要になった場合、演算処理部４が処理を実行するためのソフトウェアーの変更が生じた場合、または演算処理部４で処理した処理データを外部に取り出す必要性が生じた場合などにおいては、電力会社から委託された特定の業者が封印ワイヤ１２を切断し封印を解除した後、封印ねじ１１を緩めた後、兼用保護カバー１４および端子カバー８を取外し、設定操作部６及びコネクタ７を露出させる。
【００１９】
次に、設定操作部６を操作して表示部５の表示内容の切換、電力量の検針に係わる設定変更などを実施する。
また、コネクタ７に図示しない相手側コネクタを接続してソフトウェアーの変更、処理データの外部取り出しを行う。
【００２０】
以上のように構成されたこの発明の実施の形態３における電力量計１０２においては、一方の面３ａに配設された設定操作部６と他方の面３ｂに配設されコネクタ７を兼用保護カバー１４で同時に被装させるようにしたので構造が簡素で、信頼性が高い封印構造を得ることができる。また、コネクタ７の開口部を段付状に形成させた閉塞部１０で閉塞させたので、コネクタ７内へ異物などの侵入がないという効果がある。
【００２１】
なお、図７に示すように、兼用保護カバー１４を熱可塑性樹脂成形品などの可撓性材料で形成された兼用保護カバー１４０とし、閉塞部１４０ａに凸部１４０ｂを形成させ、コネクタ７の開口部から内部に凸部１４０ｂを嵌挿させるようにしても良い。
この場合には、コネクタ７の開口部が完全に閉塞されるので異物などの侵入防止効果が更に向上するという効果がある。
【図面の簡単な説明】
【００２２】
【図１】この発明の実施の形態１における電力量計の構成を示す外観斜視図である。
【図２】図１の分解斜視図である。
【図３】図１の操作途中における外観斜視図である。
【図４】この発明の実施の形態２における電力量計の構成を示す分解斜視図である。
【図５】この発明の実施の形態３における電力量計の構成を示す外観斜視図である。
【図６】図５の分解斜視図である。
【図７】図５の兼用保護カバーの他の実施例である。
【符号の説明】
【００２３】
２  接続端子、３  端子ブロック、３ａ  一方の面、３ｂ  他方の面、
４  演算処理部、５  表示部、６  設定操作部（インタフェイス部）、
７  コネクタ（インタフェイス部）、８  端子カバー、９  第１の保護カバー、
１０  第２の保護カバー、    １１  封印ねじ、１４  兼用保護カバー、
１００，１０１，１０２  電力量計。
【図１】
2007010613.tif 000003
【図２】
2007010613.tif 000004
【図３】
2007010613.tif 000005
【図４】
2007010613.tif 000006
【図５】
2007010613.tif 000007
【図６】
2007010613.tif 000008
【図７】
2007010613.tif 000009